(57)【要約】【課題】ワイヤハーネスを簡単に外装できるプロテクタを安価に提供する。【解決手段】三次元形状に折り曲げた状態で形状保持力を有する樹脂板を基板として用い、  長方形状とした前記基板を、幅方向に間隔をあけた３カ所で、長さ方向の全長にわたって平行に折り曲げて、ワイヤハーネスの電線群を挿通する中空部を有する四角筒状に組み立て、該組み立て状態で保持できるものとしている。【選択図】図３
2015082955.tif 000002
【特許請求の範囲】
【請求項１】
三次元形状に折り曲げた状態で形状保持力を有する樹脂板を基板として用い、
長方形状とした前記基板を、幅方向に間隔をあけた３カ所で、長さ方向の全長にわたって平行に折り曲げて、ワイヤハーネスの電線群を挿通する中空部を有する四角筒に組み立て、該組み立て状態で保持できるものとしているワイヤハーネス用のプロテクタ。
【請求項２】
前記形状保持力を有する樹脂板はポリエチレン延伸シートからなり、平板状態から曲げて形状を変えることが出来ると共に変形後の形状を保持できる特性を有する請求項１に記載のワイヤハーネス用のプロテクタ。
【請求項３】
前記樹脂板からなる基板には、折曲支点となる溝を幅方向に間隔をあけた３カ所に、長さ方向の全長にわたって平行に予め設けており、かつ、隣接する溝にはさまれた１面には、長さ方向の少なくとも一端にワイヤハーネス固定用の突出片を設けている請求項１または請求項２に記載のワイヤハーネス用のプロテクタ。
【請求項４】
前記基板を折り曲げて組み立てる四角筒の電線群を載置する底面を第一面、その両側の側面を第二面と第三面、前記第一面と対向する蓋となる面を第四面とし、前記蓋となる第四面の先端を延在すると共に、前記側面の第二面または第三面の外面に重ねて折り曲げる係止面としている請求項１乃至請求項３のいずれか１項に記載のワイヤハーネス用のプロテクタ。
【請求項５】
前記蓋となる第四面または該第四面に連続する前記係止面の先端から更に長さ方向に間隔をあけてロック片を突設する一方、前記係止面を外面に重ねる前記第二面又は第三面に前記ロック片を挿入するロック穴を設け、該ロック穴を通した前記ロック片を折り曲げてロック穴の周縁の内面に重ねている請求項４に記載のワイヤハーネス用のプロテクタ。
【発明の詳細な説明】
【技術分野】
【０００１】
本発明はワイヤハーネス用のプロテクタに関し、詳しくは、自動車に配索するワイヤハーネスの所要領域に外装してワイヤハーネスの電線群を保護すると共に経路規制するプロテクタであって、射出成形等によらずに簡単かつ安価に形成できるものである。
【背景技術】
【０００２】
この種のワイヤハーネス用のプロテクタは、射出成形により所要の形状で製造されている場合が多い。通常、図１０に示すように、プロテクタ１００は底壁１０１と両側壁１０２、１０３からなる樋形状の本体１０５にワイヤハーネスの電線群を挿通した後に、蓋１０６を被せてロック結合している。ワイヤハーネスの種類に応じてプロテクタ１００の長さが相違するため、それに応じて金型を作成する必要があり、コスト高になる問題がある。また、運送時や保管時にプロテクタが傘高になることよりスペースを取る問題がある。
【０００３】
前記問題に対して、簡単かつ安価にプロテクタを形成するものとして、特開平８−１９６０１６号公報において、図１１に示すように、組み立て式のプロテクタが提供されている。該プロテクタは、ボール紙からなる長方形の板材２００に折り曲げ用のヒンジ溝２００ａ、２００ｂおよびテープ巻き片２００ｃを備えた基板２１０を設けている。この平板状の基板２１０のヒンジ溝２００ａと２００ｂの間にワイヤハーネスの電線群Ｗを挿通した状態で、ヒンジ溝２００ａと２００ｂを支点として垂直に屈折して、樋形状のプロテクタを組み立てている。該プロテクタを組み立て後に、該形状を保持すると共に上面開口を閉鎖して蓋の代用とするため粘着テープ２３０を巻き付けている。
【先行技術文献】
【特許文献】
【０００４】
【特許文献１】特開平８−１９６０１６号公報
【発明の概要】
【発明が解決しようとする課題】
【０００５】
前記特許文献１の組立式のプロテクタは、平板の基板２１０を折り曲げて簡単にプロテクタを形成できるが、折り曲げ後の形状を保持するために粘着テープ２３０の巻き付けが必要となり、部品点数が２点となり、かつ、作業手数がかかる問題がある。
また、折り曲げて組み立てたプロテクタは底面と両側面の３面を有した形状で閉断面になっていないため、粘着テープ２３０を巻き付けた状態でも一方の側面より外力が加えられると、他方側へ倒れるように変形しやすく、形状保持力が弱い問題がある。
【０００６】
本発明は、前記問題に鑑みてなされたもので、特許文献１と同様な平板から折り曲げてプロテクタを形成する組立式のプロテクタとしながら、粘着テープの巻き付けが無くとも形状保持力を備え、かつ、プロテクタ本体に蓋を備えた閉断面形状として変形が生じにくい構造とすることを課題としている。
【課題を解決するための手段】
【０００７】
前記課題を解決するため、本発明は、三次元形状に折り曲げた状態で形状保持力を有する樹脂板を基板として用い、
長方形状とした前記基板を、幅方向に間隔をあけた３カ所で、長さ方向の全長にわたって平行に折り曲げて、ワイヤハーネスの電線群を挿通する中空部を有する四角筒状に組み立て、該組み立て状態で保持できるものとしているワイヤハーネス用のプロテクタを提供している。
【０００８】
前記基板とする形状保持力を有する樹脂板として、ポリエチレン超延伸シート（積水成型工業株式会社製の登録商標フォルテ）が好適に用いられる。該ポリエチレン超延伸シートは、ポリエチレンが一軸方向に配列制御され、自在に形状を変えることができ、変形後も形状を保持できる特有な機能を有している。引張弾性率（ＧＰａ）が１０以上、引張強度（ＭＰａ）が３８以上あり、９０度曲げで戻り角度が０゜〜３゜で殆ど曲げ戻りがなく、曲げた状態で形状を保持できる保形性に富んだ特性を有する。しかも、切断端が丸みを帯びてエッジが発生しないため、安全性が高く、かつ、リサイクルが容易であり、よって、ワイヤハーネス用の外装材として好適に用いることができる。
【０００９】
本発明では、一度折り曲げると、前記のように曲げ戻りが殆ど無い形状保持力を有する樹脂板を基板として用いている。よって、平板状よりワイヤハーネスを上面に搭載し、この状態でワイヤハーネスを挟む両面を折り曲げて両側面を形成し、かつ、折り曲げた一方の側面を他方側に折り曲げて蓋を形成すると、四角筒の折り曲げた形状に保持できる。これにより、特許文献１のように粘着テープを巻き付けて形状保持する必要はなく、所要部品は樹脂板の基板のみでよく、テープ巻き作業も不要となる。しかも、閉断面の四角筒としているために、一辺に外力を負荷されても容易に変形しない保持力を有する。
さらに、プロテクタで外装した領域のワイヤハーネスを自動車に配索状態で直線状とする場合は、プロテクタは直線保持力を有する。
【００１０】
前記樹脂板からなる基板には、折曲支点となる溝を幅方向に間隔をあけた３カ所に、長さ方向の全長にわたって平行に予め設けておき、かつ、隣接する溝にはさまれた１面には、長さ方向の少なくとも一端にワイヤハーネス固定用の突出片を設けることが好ましい。
なお、前記樹脂板からなる基板が容易に曲げられる薄肉の場合は、予め溝を設ける代わりに、屈曲支点となるラインを引いて目印として付してもよい。
【００１１】
前記ワイヤハーネス固定用の突出片にワイヤハーネスの電線群を粘着テープで巻き付けて固定することが好ましいが、該突出片を細長い帯状とし、電線群に突出片自体を巻き付け、巻き付け端を折り返して先巻き部分にクロスさせて折り曲げて結んだ状として電線群に固定してもよい。
【００１２】
また、本発明で用いる形状保持力を有する樹脂板は厚さ０．４〜１．０ｍｍ程度で、作業員が手動で容易に折り曲げることができるが、プロテクタを大量に設ける場合には、前記のように折曲支点となる溝を予めプレス等で設けておくことが好ましい。
【００１３】
前記基板を折り曲げて組み立てる四角筒の電線群を載置する底面を第一面、その両側の側面を第二面と第三面、前記第一面と対向する蓋となる面を第四面とし、前記蓋となる第四面の先端を延在すると共に、前記側面の第二面または第三面の外面に重ねて折り曲げる係止面を設けてもよい。
即ち、前記基板を幅方向の４カ所で長さ方向の全長にわたって折り曲げている。該構成とすると、蓋となる第四面の先端を側面となる第二面または第三面の上端に載置して突き合わせるよりも、四角筒の組立形状の保持力を高めることができる。
【００１４】
さらに、前記蓋となる第四面または該第四面に連続する前記係止面の先端から更に長さ方向に間隔をあけてロック片を突設する一方、前記係止面を外面に重ねる前記第二面又は第三面に前記ロック片を挿入するロック穴を設け、該ロック穴を通した前記ロック片を折り曲げてロック穴の周縁の内面に重ねてもよい。該構成とすると、手数はかかるが、形状保持力を更に増強できる。
【発明の効果】
【００１５】
前記のように、本発明のワイヤハーネス用のプロテクタは、曲げた状態で戻りが無く形状保持力を有する樹脂板を基板を用い、該基板を平板状態より折り曲げて、ワイヤハーネスの電線群を中空部に貫通する四角筒に組み立てている。この組み立てた四角筒は基板を曲げるだけで保持できるため、従来必要とされた粘着テープの巻き付けを不要にでき、部品点数および作業手数を低減でき、より簡単かつ安価にプロテクタを提供できる。
【図面の簡単な説明】
【００１６】
【図１】本発明の第１実施形態の斜視図である。
【図２】第１実施形態で用いるプロテクタの展開図である。
【図３】（Ａ）〜（Ｄ）はプロテクタの組立手順を示す図面である。
【図４】第２実施形態を示し、（Ａ）はプロテクタの一部展開図、（Ｂ）はプロテクタの組立図である。
【図５】第３実施形態を示し、（Ａ）はプロテクタの一部展開図、（Ｂ）はプロテクタの組立図である。
【図６】第４実施形態を示し、（Ａ）はプロテクタの一部展開図、（Ｂ）は要部平面図である。
【図７】第５実施形態を示し、（Ａ）はプロテクタの組立図、（Ｂ）はプロテクタにグロメットを連結した状態の正面図である。
【図８】第６実施形態を示し、（Ａ）はプロテクタの一部展開図、（Ｂ）はプロテクタの組立図である。
【図９】第７実施形態を示すプロテクタの組立図である。
【図１０】従来例を示す斜視図である。
【図１１】他の従来例を示す図面である。
【発明を実施するための形態】
【００１７】
以下、本発明の実施形態を図面を参照して詳述する。
図１乃至図３に第１実施形態を示す。
図１に示すワイヤハーネスは自動車に配索するもので、ワイヤハーネスの電線群１を樹脂製のプロテクタ２内に挿通している。該プロテクタ２は図２に示す比較的厚肉の樹脂板を基板１０とし、該基板１０を平板状でワイヤハーネスの電線群１を挿通し、該電線群１を囲むように基板１０を折り曲げて四角筒に組み立てて形成している。
【００１８】
前記樹脂板からなる基板１０は厚さ０．４ｍｍ〜１．０ｍｍで、プロテクタとしての強度および剛性を高める点から０．８ｍｍ〜１．０ｍｍ程度の厚肉の樹脂板が好適に用いられる。該樹脂板は１．０ｍｍの厚肉であっても作業員が容易に曲げることはできるが、外力による曲げ力が作用しない限り形状保持力を備える。かつ、三次元形状に曲げた状態で、曲げ戻りがなく、曲げた状態に保持できる形状保持力を有する。よって、ワイヤハーネスの電線群１を貫通して四角筒とした状態で、粘着テープを巻き付けて四角筒を保持する必要はない。
【００１９】
前記基板１０となる形状保持力を有する樹脂板として、本実施形態では、積水成型工業株式会社製のフォルテ（登録商標）からなるポリエチレン超延伸シートを用いている。該ポリエチレン超延伸シートは、ポリエチレンシートを一軸方向に高倍率で延伸して制御したものである。自在に折り曲げて形状を変えることができ、曲げ角度が０゜〜３゜で殆ど曲げ戻りがなく、曲げた状態で形状を保持できる保形性に富んだ特性を有する。密度０．９７、引張弾性率（ＧＰａ）が１０以上、引張強度（ＭＰａ）が３８以上である。
【００２０】
該基板１０は、図２に示す長さ方向Ｘの寸法をワイヤハーネスに外装する領域の長さと対応させている。また、幅方向Ｙの寸法は、ワイヤハーネスの周長に対応させ、ワイヤハーネスを囲むことが出来る四面を有する寸法としている。
【００２１】
該基板１０には、幅方向の中間位置の３カ所に折曲支点となる第１溝１１、第２溝１２、第３溝１３を長さ方向Ｘの全長にわたって平行に予め設けている。第１溝１１と第２溝１２の挟まれた面は底面となる第一面１５とし、該第一面１５は長さ方向の両端を突出させてテープ巻き片１９Ａ、１９Ｂを設けている。
【００２２】
前記第一面１５を挟む第１溝１１と幅方向の一端で挟まれる面は一方側面となる第二面１６、第２溝１２と第３溝１３で挟まる面は他方側面となる第三面１７、第３溝１３と幅方向の他端で挟まれる面は蓋となる第四面１８としている。
前記底面となる第一面１５と蓋となる第四面１８とは同一幅とし、両側面となる第二面１６と第三面１７は同一幅とし、本実施形態では第一面１５〜第四面１８を同一幅として、断面正方形の四角筒が組み立てられるようにしている。
【００２３】
次に、プロテクタ２でワイヤハーネス１の電線群を外装する手順を図３を参照して説明する。
まず、図３（Ａ）に示すように、連続成形されている樹脂板を、外装するワイヤハーネス１の外周長と外装領域の長さに対応させた所要の幅方向と長さ方向の寸法を有する大きさに切り出した基板１０を設ける。
この所要の幅と長さを有する基板１０で、ワイヤハーネス１を外装する前に、折曲支点となる第１溝〜第３溝１１〜１３を予め形成し、かつ、第一面１５の長さ方向の両端にテープ巻き片１９Ａ、１９Ｂが突出するように、第二面〜第四面１６〜１８の長さ方向の両端を切除する。
【００２４】
ついで、図３（Ｂ）に示すように、基板１０の第一面１５上にワイヤハーネスの電線群１を搭載し、長さ方向の両端のテープ巻き片１９Ａ、１９Ｂに電線群１を粘着テープ２１Ａ、２１Ｂで巻き付けて固定する。
【００２５】
ついで、図３（Ｃ）に示すように、第１溝１１、第２溝１２を支点として第二面１６、第三面１７をワイヤハーネス１を挟むように立ち上げるように折り曲げる。
【００２６】
最後に、図３（Ｄ）に示すように、第３溝１３を支点として第四面１８が蓋となるように横向きに折り曲げる。該蓋となる第四面１８の先端を前記第二面１６の上端に押し当てる。これにより、基板１０は四角筒のプロテクタ２となり、ワイヤハーネスの電線群１を貫通した四角筒に保持される。
【００２７】
このように、曲げた状態で形状保持できる形状保持機能を有する樹脂板を基板１０として用いることで、ワイヤハーネスの電線群１の外周に囲む四角筒に折り曲げた状態で形状保持できる。これにより、粘着テープを用いることなく、基板１０のみでワイヤハーネスの電線群１を外装するプロテクタ２を形成できる。
【００２８】
前記プロテクタ２で外装したワイヤハーネスの電線群１を配索時に直線状に配索する場合は、プロテクタ２は直線保持力を有するため、ワイヤハーネスを直線配索することができる。
【００２９】
図４に第２実施形態を示す。
該第２実施形態では、前記蓋となる第四面１８の先端に第４溝２５を介して前記第二面１６の外面に折り曲げて重ねる係止面２６を設けている。
このように、蓋となる第四面１８の先端を更に折り曲げて側面の第二面に重ねると、蓋となる第四面１８が容易に開かず、四角筒としたプロテクタの形状保持力をより高めることができる。
【００３０】
図５（Ａ）（Ｂ）に第３実施形態を示す。
第３実施形態では蓋となる第四面の先端から長さ方向に間隔をあけてロック片３０を突設している。一方、前記第二面１７には、前記ロック片３０と対応した位置にロック穴３１を長さ方向に間隔をあけて設けている。
前記ロック片３０を蓋となる第四面１８より下向きに折り曲げて第二面１７のロック穴３１より内部へと通す。該ロック穴３１を通したロック片３０を折り曲げてロック穴３１の周縁の内面に重ね。
このように、ロック片３０を折り曲げると、曲げ戻りがないため、ロック力が強く、四角筒としたプロテクタの形状保持力を更に高めることができる。
【００３１】
図６に第４実施形態を示す。
第４実施形態では、ワイヤハーネスを粘着テープを用いてプロテクタに固着する方法に代えて、基板１０の第１面１５の少なくとも一端から突設する突出片を細長い帯状とし、この帯状の突出片３３をワイヤハーネスの電線群１に巻き付けて固定している。詳細には、帯状の突出片３３の巻き付け端を折り返し、先巻き部分にクロスさせて折り曲げて結んだ状としてワイヤハーネス１に固定している。
該構成とすると、プロテクタにワイヤハーネスを固定する粘着テープも不要となり、プロテクタ自体でワイヤハーネスを固定することができる。
【００３２】
図７に第５実施形態を示す。
第５実施形態では、基板１０を折り曲げて四角筒のプロテクタ２を組み立て、蓋となる第四面１８の先端を第二面１６の上端に搭載した状態で、防水テープ４０（図中クロス斜線で示す）を第二面１６と第四面１８の接合隅部の外面にＬ形状に屈折して貼り付けている。このように防水テープ４０を貼り付けると、プロテクタ２の内部は浸水が生じない防水空間となる。
かつ、図８（Ｂ）に示すように、プロテクタ２の長さ方向の両端にグロメット４１、４２を外嵌して連結すると、プロテクタ２を完全な防水プロテクタとすることができる。よって、浸水領域に配索するワイヤハーネスのプロテクタ２として好適に用いられる。
【００３３】
図８に第６実施形態を示す。
第６実施形態では、基板１０の長さ方向の所要位置に幅方向Ｙに、Ｖ形状の折り曲げが連続する蛇腹部５０を長さ方向に間隔をあけて所要位置に設けている。なお、蛇腹部は長さ方向の中間位置の１カ所でもよい。該蛇腹部５０は基板１０を折り曲げるだけで簡単に形成でき、かつ、該蛇腹部５０を設けていることで、プロテクタ２を所要位置で屈曲することができる。
【００３４】
図９に第７実施形態を示す。
第７実施形態では、基板１０とする樹脂板はポリエチレン超延伸板６０の外面にウレタン等の弾性板６１を積層一体化した構成とし、弾性板６１を電線群１への巻き付け状態で外面側に位置させて緩衝機能、振動減衰機能を有する高機能を加えている。
なお、ポリエチレン超延伸板６０の内面にもウレタン等の弾性板を積層し、電線群との接触音の発生を低減してもよい。
【００３５】
また、前記ポリエチレン超延伸シートの外面に金属箔等からなるシールド層を積層一体化してシールド機能付きとし、シールド層を電線群への外装状態で外面側に位置させてシールド機能付きプロテクタとして高機能を加えてもよい。
【符号の説明】
【００３６】
１  ワイヤハーネスの電線群
２  プロテクタ
１０  基板
１１  第１溝
１２  第２溝
１３  第３溝
１５  第一面
１６  第二面
１７  第三面
１８  蓋となる第四面
【図１】
2015082955.tif 000003
【図２】
2015082955.tif 000004
【図３】
2015082955.tif 000005
【図４】
2015082955.tif 000006
【図５】
2015082955.tif 000007
【図６】
2015082955.tif 000008
【図７】
2015082955.tif 000009
【図８】
2015082955.tif 000010
【図９】
2015082955.tif 000011
【図１０】
2015082955.tif 000012
【図１１】
2015082955.tif 000013